(57)【要約】【課題】  両開扉錠において、デッド杆の先端に回動可能に装着された係合シューをストライク孔に投入して子扉を床面に係止すると共に、子扉を開放方向に押動するだけで子扉の係止を解くようにする。【解決手段】  子扉を閉止位置に置き、親扉を閉めることによりメインラッチ３及びサブラッチ２７を同時に作用させ、デッド杆６及び作動杆２２を一体的に下降させてデッド杆６の下端の係合シュー１９をストライク孔２１に投入し、子扉開放時、ケース体１を紙面方向向う側に押すことにより係合シュー１９をストライク孔２１に弾圧して前者を後者に一時的に係留し、同時に係合シュー１９の内端部に形成された傾斜端縁２４により作動杆の係合ピン２５を相対的に押上げ、デッド杆６と作動杆２２との係合を解く。【選択図】  図４
2007321423.tif 000002
【特許請求の範囲】
【請求項１】
子扉の自由側端縁部の下端部及び／または上端部に装着されるケース体を有し、ケース体内において子扉の自由側端縁に平行な方向に延在してその長さ方向に移動可能に案内されたデッド杆を介して、両開扉の子扉を床面及び／または天井に係止するラッチ装置のトリガー機構であって、デッド杆の外端に、扉面に平行で水平な支軸の回りを回動自在に軸支され、先端が子扉の閉鎖方向にのみ回動可能に拘束されると共に逆方向に付勢された係合シューを設けると共に、この係合シューの内端部に傾斜端縁を一体的に形成し、一方、ケース体に、水平面に対する投影形状が略扇形で、その要の部分を、子扉の自由側端縁部とほぼ同一面となるケース体のフロント板付近に回動可能に、かつフロント板から出没可能に支承され、親扉の閉扉時親扉の自由側端縁に装着されたストライクと干渉してケース体内に押込まれるサブラッチと、ケース体内において子扉の自由側端縁に平行な方向に延在すると共にその長さ方向に移動可能に案内され、外端部に係合シューの傾斜端縁に弾接するように付勢された係合ピンを有する作動杆と、この作動杆の内端部及び上記サブラッチの間に配設され、親扉閉扉時におけるサブラッチの動きを作動杆に伝達し、これを長さ方向に沿ってケース体から外方に押出すように駆動する作動力偏向機構とを設け、子扉を開放方向に押動するとき、係合シューとストライク孔の開口端縁との間に生じる摩擦係合によりデッド杆を一時的にストライク孔に係止し、係合シューの回動によって生じる係合ピンとの間の楔作用により、作動杆をケース体内に押込み、以て係合ピンと係合シューとの係合を解いて係合シューを解放するようにしたことを特徴とする両開扉錠のトリガー機構。
【発明の詳細な説明】
【技術分野】
【０００１】
この発明は、所謂観音開き扉と称される両開扉の子扉の自動係止装置（以下単に両開扉錠という）のトリガー機構に係り、特に、床面或いは天井面に形成されたストライク孔とデッドボルトとの間に側圧が作用する場合であっても、子扉を開放方向に押動するだけで円滑に開放することができる両開扉錠のトリガー機構に関する。
【０００２】
但し、上記両開扉錠は、「錠」とは称しても、その実体は子扉のラッチ装置である。
【背景技術】
【０００３】
本出願人は、先に、下記特許文献１を以て、新規な両開扉の子扉の自動係止装置（両開扉錠：ラッチ装置）を提案した。
【０００４】
この両開扉錠は、親扉及び子扉が閉鎖するとき、子扉に装着されたラッチと親扉のストライクとの係合によってデッド杆を動かして子扉を床面及び／または天井面に対し係止するものである。
【０００５】
この特許文献１に記載された両開扉錠は、子扉の係止を解くとき、その係止機構を解除するトリガー機構の円滑性に未だ改良の余地があった。
【０００６】
そこで、本出願人は、下記特許文献２を以て、トリガー機構の円滑性を向上させた両開扉錠を提案した。
【特許文献１】特願２００５−３７０１３１
【特許文献２】特願２００６−１４８３８０
【発明の開示】
【発明が解決しようとする課題】
【０００７】
この発明は、上記特許文献２に記載された両開扉錠に内在する両開扉錠のトリガー機構を独立した発明として抽出し、種々の用途に利用することを目的としている。
【課題を解決するための手段】
【０００８】
上記の目的を達成するため、この発明は、子扉の自由側端縁部の下端部及び／または上端部に装着されるケース体を有し、ケース体内において子扉の自由側端縁に平行な方向に延在してその長さ方向に移動可能に案内されたデッド杆を介して、両開扉の子扉を床面及び／または天井に係止するラッチ装置のトリガー機構であって、デッド杆の外端に、扉面に平行で水平な支軸の回りを回動自在に軸支され、先端が子扉の閉鎖方向にのみ回動可能に拘束されると共に逆方向に付勢された係合シューを設けると共に、この係合シューの内端部に傾斜端縁を一体的に形成し、一方、ケース体に、水平面に対する投影形状が略扇形で、その要の部分を、子扉の自由側端縁部とほぼ同一面となるケース体のフロント板付近に回動可能に、かつフロント板から出没可能に支承され、親扉の閉扉時親扉の自由側端縁に装着されたストライクと干渉してケース体内に押込まれるサブラッチと、ケース体内において子扉の自由側端縁に平行な方向に延在すると共にその長さ方向に移動可能に案内され、外端部に係合シューの傾斜端縁に弾接するように付勢された係合ピンを有する作動杆と、この作動杆の内端部及び上記サブラッチの間に配設され、親扉閉扉時におけるサブラッチの動きを作動杆に伝達し、これを長さ方向に沿ってケース体から外方に押出すように駆動する作動力偏向機構とを設け、子扉を開放方向に押動するとき、係合シューとストライク孔の開口端縁との間に生じる摩擦係合によりデッド杆を一時的にストライク孔に係止し、係合シューの回動によって生じる係合ピンとの間の楔作用により、作動杆をケース体内に押込み、以て係合ピンと係合シューとの係合を解いて係合シューを解放するようにしたことを特徴とする。
【発明の効果】
【０００９】
上記のように構成された請求項１に記載の発明による両開扉錠のトリガー機構は、係合シューに側圧が印加された状態で子扉を開放方向に押動すると、係合シューとストライク孔の開口端縁との間に生じる摩擦係合によりデッド杆が一時的にストライク孔に係止され、更なる子扉の押動により、係合シューと一体の傾斜端縁と係合ピンとの間に生じる楔作用により作動杆がケース体内に押込まれるので、係合シューと作動杆との係合が解かれ、係合シューが自由になって子扉が解放される
【００１０】
そのため、係合シューが回動してストライク孔との摩擦係合が無くなり、デッド杆の付勢力によってデッド杆が床面或いは上枠のストライク孔から引抜かれ、このようにして子扉を容易に開放する、という所期の効果を奏する。
【発明を実施するための最良の形態】
【００１１】
扉の自由側端縁部の端部から床面或いは上枠のストライク孔に投入されるデッド杆の先端に係合シューを回動自在に設け、その係合シューの拘束を子扉の開放操作の初期において解くようにしたので、子扉のデッド杆の先端に印加される側圧による不都合を解消し、トリガー機構の円滑性を向上させることができた。
【実施例１】
【００１２】
以下、この発明の一実施例を図面を参照して説明する。
図１及び図２において符号１はケース体を示し、このケース体１は子扉の自由側端縁部の上端及び／又は下端に例えば埋設等の態様で装着される。
【００１３】
なお、図１及び図２に示すケース体１は子扉の下端部に装着されるもので、後述のデッド杆は床面に設けられたストライク孔に投入されて子扉を床面に係止する。
【００１４】
ちなみに、通常、このケース体１と対称的に子扉の上端部には図示しない他のケース体が装着され、一方、これら一対のケース体の間における子扉の自由側端縁にはストライク孔が設けられ、親扉側に装着された図示しない錠箱のデッドボルトがこのストライク孔に投入されて両開扉を施錠する。
【００１５】
上記ケース体１の子扉の自由側端縁とほぼ同一面となるフロント板２付近には、図１及び図３に示すように、メインラッチ３が設けられている。
【００１６】
図示の実施例におけるメインラッチ３は、図３に示すように、床面（水平面）に対する投影形状が扇形のブロック体で、その要の部分を鉛直に貫通する第１支軸４により水平面内で回動可能に軸支されている。
【００１７】
このメインラッチ３は、図３に示すように、戸当りに当てて閉鎖位置にあるケース体１に対し、親扉閉鎖時、図示しない親扉の自由側端縁に装着されたストライク板５（図５参照）が図３において相対的に子扉に近接したとき、換言すれば図３においてストライク板５が下降したとき、このストライク板に駆動されて図３で反時計方向に回動し、後述する作動力偏向機構を駆動する。
【００１８】
一方、図１及び図２において符号６はデッド杆を示し、図示の実施例におけるデッド杆６は、下方を断面コ字形に折曲して剛性を増大させた細長い板状体で、ケース体１内において子扉の自由側端縁に平行な方向（上下方向）に延在している。
【００１９】
また、このデッド杆６は、第２及び第３支軸７、８によって上下方向に移動可能に支持、案内されている。
【００２０】
上記第２支軸７は、図１及び図２に示すように、デッド杆６の上端部にかしめつけられた短円柱体で、その図２における右端に形成された小径部がケース体１の側面に形成された縦長の第１案内孔９（図１参照）に摺動可能に係合している。
【００２１】
また、上記第３支軸８は、後述する作動杆に形成された縦長の第２案内孔１１（図１参照）と摺動可能に係合しており、作動杆の案内部を兼ねている。
【００２２】
更にまた、図１にに示すように、ケース体１の内側底面に植設された案内杆１２が、デッド杆６の側端縁に一体に形成された水平な案内板１３に開口した図示しない案内孔と摺動可能に嵌合しており、案内板１３とケース体１の底面との間における案内杆１２に巻装された圧縮コイルばねとしての第１付勢ばね１４の弾力により、デッド杆６は上方に、換言すればケース体内に引き込まれる方向に付勢されている。
【００２３】
他方、図１に示すように、このデッド杆６の上端部と前記メインラッチ３との間には、作動力偏向機構としての揺動レバー１５が配設されている。
【００２４】
この揺動レバー１５は、板材を断面コ字形に折曲し、ケース体１の側板への投影形状が略扇形になるように成形した部材で、その要の部分を貫通する水平な第４支軸１６によって揺動可能に軸支されている。
【００２５】
また、揺動レバー１５のメインラッチ３に近接した一端部はローラ１７を介してメインラッチ３に当接しており、他端部に担持された水平な第１係合ピン１８は、図１に示すように、デッド杆６の上端部に開口した付番しない水平な長穴である係合穴と摺動可能に係合している。
【００２６】
上記した構成により、親扉が閉鎖位置に近接したとき、そのストライク板５によってメインラッチ３がケース体１内に押込まれ、このメインラッチ３の回動に連動して揺動レバー１５が図１で時計方向に回動し、その結果、図４に示すように、デッド杆６が第１付勢ばね１４の弾力に抗して下降する。
【００２７】
このとき、後記係合シューが床面或いは天井面（戸枠の上枠）に開口した図示しないストライク孔２１（図４参照）に投入され、子扉に側圧がかかる場合には、図２における係合シュー１９の右側の面がストライク孔２１の開口端縁に押圧される。
【００２８】
前記したように、デッド杆６の下端部は断面コ字形に成形されているが、次に述べる作動杆２２（図１及び図２参照）の下端部も断面コ字形に折曲されている。
【００２９】
そして、図２に示すように、デッド杆６及び作動杆２２の下端部の断面コ字形部を入れ子状に重合させている。
【００３０】
一方、図２に示すように、上記のようにして作動杆２２と重合しているデッド杆６の外端に、扉面に平行で水平な支軸２３により、係合シュー１９が回動可能に支承されている。
【００３１】
この係合シュー１９の内端部には、図２に示すように、傾斜端縁２４が一体的に形成されている。
【００３２】
また、図面を明瞭にするため付番を省略する捩りコイルばねの弾力により、上記係合シュー１９は図２で反時計方向に付勢されているが、係合シュー１９に外力が作用しない常態においては、上記傾斜端縁２４が作動杆２２の下端部に植設された係合ピン２５に弾接してこれに衝止され、図示の角度位置を保つ。
【００３３】
つまり、係合シュー１９は、これと一体の傾斜端縁２４と係合ピン２５との係合、作動杆２２、後述する第２作動力偏向機構及びサブラッチを介して親扉のストライクに担持される。
【００３４】
したがって、係合シュー１９は図２に示す角度位置から更に反時計方向（係合シューの先端が右方向）に回動することができないように拘束されている。
【００３５】
他方、上記作動杆２２は、図１及び図２に示すように、デッド杆６と重合する態様で上下方向にに延在し、前記第２支軸８及びデッド杆６との係合により長さ方向に移動可能に案内されている。
【００３６】
また、作動杆２２とデッド杆６との間には、図１及び図２に示すように、圧縮コイルばね２６が弾装されており、この圧縮コイルばね２６の弾力により、作動杆の前記係合ピン２５が係合シューの傾斜端縁２４に弾接する方向に付勢されており、常態ではデッド杆６と作動杆７とが一体的に動くように構成されている。
【００３７】
他方、図１に示すように、前記メインラッチ３の下方にはこれと同じ構造のサブラッチ２７が配設されており、このサブラッチ２７と作動杆２２の内端部との間には前記揺動レバー１５（図１参照）と同じ構造の揺動レバー１５が設けられている。
【００３８】
この揺動レバー１５はサブラッチ２７と作動杆２２とを相互に連結する前記第２作動力偏向機構を構成しており、その一端はローラ１７を介してサブラッチ２７に当接している。
【００３９】
また、他端部には図面を明瞭にするため付番しない第１係合ピンが担持され、この第１係合ピンは、図１に示すように、作動杆２２の上端部に開口した付番しない水平な長穴である係合穴と摺動可能に係合している。
【００４０】
なお、図１乃至図３において符号２８は圧縮コイルばねとしての補償ばねを示し、この補償ばね２８は、例えばこの発明による両開扉錠を子扉の上方に装着したとき、すなわちケース体１を上下逆向きにして装着したとき、デッド杆６及び作動杆２２に作用する重力による影響を除去するもので、この発明の必須の構成ではなく、そのため図６乃至図８では図示を省略してある。
【００４１】
上記のように構成されたこの発明の一実施例による両開扉錠は、両開扉が開いているときには、図１及び図２に示すように、デッド杆６及び作動杆２２は、付勢ばね１４の弾力によりケース体１内に引込んでおり、子扉は自由である。
【００４２】
このときには、図３に示すように、メイン及びサブラッチ３、２７はフロント板２から突出している。
【００４３】
この状態で子扉を動かし、例えば戸当りに当てて子扉を閉鎖角度位置に置いた後、親扉を閉鎖位置に迄回動させると、前記ストライク５が図３の上方からメイン及びサブラッチ３、２７に近接し、これらを回動させる。
【００４４】
すると、図４に示すように、デッド杆６及び作動杆２２は一体的にケース体外に押出され、デッド杆の外端に装着された係合シュー１９が例えば床面に設けられたストライク孔２１に投入され、子扉を床面に係止する。
【００４５】
その後、親扉の錠前を操作して、親扉側から図示しないデッドボルトを子扉の自由側端縁に形成されたストライク孔に投入し、このようにして両開扉を施錠する。
【００４６】
両開扉を開放するには、先ず上記親扉の錠前を解錠し、親扉と子扉との係合を解いた後、子扉を開放方向（図３で上方、図４で紙面方向向う側）に押動する。
【００４７】
すると、ストライク孔２１内で遊動する係合シュー１９が図４で向う側に移動し、同時に、図５においてケース体１が下方に移動する。
【００４８】
やがて係合シュー１９の衝止面（図２における右側の面）がストライク孔２１の開口端縁に当接し、係合シュー１９は停止させられるが、更に子扉が開放方向に押動されると、係合シュー１９が支軸２３の回りを時計方向に回動するようになる（図２参照）。
【００４９】
すると、係合シューの内端に形成された傾斜端縁２４と係合ピン２５との間に生じる楔作用により、前者が後者を斜上に押上げるように押動する。
【００５０】
この状態では、係合シューの衝止面とストライク孔の開口端縁との間に強い摩擦係合が生じるから、その摩擦力により係合シュー１９は一時的にストライク孔２１の開口端縁に一時的に係止される。
【００５１】
したがって、図示の実施例では作動杆２２はデッド杆６に関して相対的に上昇し、ついには、図６に示すように、傾斜端縁２４が係合ピン２５を押上げ、これらの係合を解くに致る。
【００５２】
すると、図６に示すように係合シュー１９は自由に回動できるようになり、デッド杆６とストライクとの係合が解けて子扉が開く。
【００５３】
図６に示す状態に致る迄は係合シュー１９はストライク孔２１の開口端縁と接触し続けつつ回動するから、ケース体１も少しずつ開放方向に移動し、一時的にではあるが、図７及び図８に示すように、メインラッチ３が引込み、サブラッチ２７のみが突出した状態となる。
【００５４】
しかし、図７に示した状態は一時的な状態で、図６に示すように係合シュー１９と係合ピン２５の係合が完全に解けた状態になると、直ちにメインラッチ３も突出して図１に示す状態となる。
【図面の簡単な説明】
【００５５】
【図１】この発明の一実施例による両開扉錠の一部断面側面図。
【図２】その一部断面背面図。
【図３】その平面図。
【図４】図１と同様の一部断面側面図で、両開扉の閉鎖時を示す。
【図５】その平面図。
【図６】図２と同様の両開扉の一部断面背面図で、係合シューが傾いた状態を示す。
【図７】図１と同様の両開扉錠の一部断面側面図で、サブラッチのみが突出した状態を示す。図５と同様の反転ラッチ部の平面図で、反転ラッチが少し押込まれた状態を示す。
【図８】その平面図。
【符号の説明】
【００５６】
１  ケース体
２  フロント板
３  メインラッチ
５  ストライク
６  デッド杆
１５  揺動レバー
１７  ローラ
１９  係合シュー
２１  ストライク孔
２２  作動杆
２３  支軸
２４  傾斜端縁
２５  係合ピン
２６  圧縮コイルばね
２７  サブラッチ
【図１】
2007321423.tif 000003
【図２】
2007321423.tif 000004
【図３】
2007321423.tif 000005
【図４】
2007321423.tif 000006
【図５】
2007321423.tif 000007
【図６】
2007321423.tif 000008
【図７】
2007321423.tif 000009
【図８】
2007321423.tif 000010